(57)【要約】【課題】部品点数が少なく、簡易な構造のチューブ絞り出し具を提供する。【解決手段】チューブ体を収容する収容容器２と、前記収容容器２の一部に揺動自在に枢着された絞り出し装置３とからなる。前記絞り出し装置３は、一対の絞りローラー３１，３１と、前記一対の絞りローラー３１，３１の一方に回転力を付与する動力ローラー３２を回動自在に枢着し、各ローラー３１，３１、３２のギヤ３１１，３１２を覆う左右のカバー３３、前記収容容器２との枢着部３４とを備える。枢着部３４を支点としてカバー３３を揺動することで、絞り出し装置３を収容容器２上面に位置決めセットしたり、収容容器２を開放したりする。【選択図】図１
2008213941.tif 000002
【特許請求の範囲】
【請求項１】
チューブ体を収容する収容容器と、
前記収容容器の一部に回動自在に枢着された絞り出し装置とからなり、
前記絞り出し装置は、一対の絞りローラーと、
前記一対の絞りローラーの一方に回転力を付与する動力ローラーと、
を具備することを特徴とするチューブ絞り出し具。
【請求項２】
前記収容容器は上面が開放されており、前記絞り出し装置は前記収容容器の開放上面に横架可能に枢着したことを特徴とする請求項１に記載のチューブ絞り出し具。
【請求項３】
前記収容容器の上面端部に前記動力ローラーを配置すると共に、動力ローラーの外周面は収容容器の外方に突出しており、動力ローラーが突出しているがわの収容容器の外側に握り手を設けたことを特徴とする請求項１または２に記載のチューブ絞り出し具。
【請求項４】
前記収容容器の上面は、動力ローラーがわを高くした傾斜面に形成したことを特徴とする請求項１乃至３のいずれかに記載のチューブ絞り出し具。
【発明の詳細な説明】
【技術分野】
【０００１】
本発明は、例えば歯磨きなどの練り製品が封入されたチューブ体から練り製品を容易に絞り出すことが可能で、また絞り出しを可能な状態で保持できるチューブ絞り出し具に関するものである。
【背景技術】
【０００２】
歯磨きなどの練り製品は、チューブ体に封入された状態で販売され、使用時においてもチューブ体から絞り出して使用することが一般的である。チューブ体からの練り製品の絞り出しは、使用により練り製品の量が少なくなると、絞り出し難くなることがある。そこで、例えば、チューブの後端部を一対のローラーで挟み込んで、封入された練り製品を絞り出す押出具が実用新案登録第３０１４７５５号によって提案されている。
【特許文献１】実用新案登録第３０１４７５５号公報
【発明の開示】
【発明が解決しようとする課題】
【０００３】
前記した従来の押出具にあっては、次のような問題点がある。
＜１＞押出具の構造が複雑であり、製造コストが高くなる。
＜２＞内容物が減っていない新品の歯磨きチューブへの使用に適さず使用機会がないため、使用に適した状態になるまでに紛失するおそれがある。
【課題を解決するための手段】
【０００４】
上記のような問題を解決するために、本発明は第１発明として、チューブ体を収容する収容容器と、前記収容容器の一部に回動自在に枢着された絞り出し装置とからなり、前記絞り出し装置は、一対の絞りローラーと、前記一対の絞りローラーの一方に回転力を付与する動力ローラーを具備することを特徴とするチューブ絞り出し具を提供する。
【０００５】
また、本発明は第２発明として、前記収容容器は上面が開放されており、前記絞り出し装置は前記収容容器の開放上面に横架可能に枢着したことを特徴とする前記第１発明に記載のチューブ絞り出し具を提供する。
【０００６】
更に、本発明は第３発明として、前記収容容器の上面端部に前記動力ローラーを配置すると共に、動力ローラーの外周面は収容容器の外方に突出しており、動力ローラーが突出しているがわの収容容器の外側に握り手を設けたことを特徴とする前記第１発明または前記第２発明に記載のチューブ絞り出し具を提供する。
【０００７】
本発明は第４発明として、前記収容容器の上面は、動力ローラーがわを高くした傾斜面に形成したことを特徴とする前記第１発明乃至第３発明のいずれかに記載のチューブ絞り出し具を提供する。
【発明の効果】
【０００８】
本発明のチューブ絞り出し具は、上記した課題を解決するための手段により、次のような効果を得ることができる。
＜１＞部品点数が少ない簡易な構造であるため、製造コストを削減することができ安価な価格で製品を提供することができる。
＜２＞新品の歯磨き剤チューブに対してスタンドとして使用し、歯磨き剤が少なくなった場合には簡単に絞り出せる状態にすることができるため、歯磨き剤を絞り出したい肝心な時に紛失することがない。
＜３＞握り手を握持することで収容容器自体を片手で持つことができ、また、その状態で例えば親指で動力ローラーを回転駆動できるため、絞り出したい歯磨き剤等を歯ブラシ等に簡単に載せることができる。使用後は、収容容器自体をスタンドとして使用してそのまま立てておくことができる。
【発明を実施するための最良の形態】
【０００９】
以下、本発明について図面を参照した実施の形態により詳細に説明する。図１は、本発明のチューブ絞り出し具の一形態の斜視図であり、図２は、チューブ絞り出し具の絞り出し装置を構成する各ローラーの係合関係を示す説明図である。
【００１０】
＜１＞チューブ絞り出し具の構成
本発明のチューブ絞り出し具１は、チューブ体４を収容する収容容器２と、前記収容容器２の一部に回動自在に枢着された絞り出し装置３とから構成する。絞り出し装置３は、収容容器２の背面から収容容器２の上面に横架できるように枢着する。
【００１１】
＜２＞収容容器
収容容器２は、その内部にチューブ体４を収容するとともに、チューブ絞り出し具１を卓上に定立させる部材である。収容容器２は、上面を開放し、その内部にチューブ体４を収容できる中空構造に形成し、チューブ絞り出し具１自体を卓上に定立できる底面形状を形成していれば外形形状は適宜自由に選択することができる。例えば図１に示すように、収容容器２の底部を末広状に拡開形成して、定立時における安定性を一層増大させるようにすることができる。そして、収容容器２の一部には数着部３４を設け、絞り出し装置３を回動自在に枢着する。
【００１２】
＜３＞絞り出し装置
絞り出し装置３は、チューブ体４を絞ることにより、チューブ体４内部に封入された歯磨きなどの練り製品を押し出す装置である。絞り出し装置３は、一対の絞りローラー３１，３１と、前記一対の絞りローラー３１，３１の一方に回転力を付与する動力ローラー３２が回動自在に枢着され、前記各ローラー３１，３１、３２のギヤ３１１，３１２を覆う左右のカバー３３、前記収容容器２との枢着部３４とを備える。前記枢着部３４は、左右のカバー３３の端部を枢着支持しており、そして、カバー３３に一対の絞りローラー３１，３１の軸部、動力ローラー３２の軸部のそれぞれを支承してある。枢着部３４を支点としてカバー３３を揺動することによって、絞り出し装置３を収容容器２上面に位置決めセットしたり、収容容器２を開放したりすることができる。
【００１３】
一対の絞りローラー３１，３１は、その周囲を硬質ゴムなどの滑りを防止できる材料で構成する。また、一対の絞りローラー３１，３１間には、チューブ体４端部を挿入することができる２ｍｍ程度の間隙を設けて平行に対向するように設置する。一対の絞りローラー３１，３１の一方には、その両端に動力ローラー３２のギヤ３１２と係合するギヤ３１１を形成する。
【００１４】
動力ローラー３２は、自身に導入される外力を一対の絞りローラー３１，３１の一方に付与する部材である。動力ローラー３２の周面には例えばメッシュ状又は突起状の凹凸を形成すると、動力ローラー３２を指で回転させる場合に滑りづらくなり好適である。動力ローラー３２の両端には、一対の絞りローラー３１，３１の一方の両端部に形成したギヤと係合するギヤ３２１を形成する。
【００１５】
図４は、収容容器２を手で持って絞り出し操作をする場合の側面図である。動力ローラー３２は、収容容器２の上面端部に配置すると共に、その外周面は収容容器２の外方に突出しており、動力ローラー３２が突出しているがわの収容容器２の外側に握り手５を設ける。すなわち、握り手５を握持して収容容器２を持つことで、親指が動力ローラー３２に当たり、動力ローラー３２を直接に駆動操作できるようにしている。
【００１６】
また、前記収容容器２の上面は、図４に示すように動力ローラー３２がわを高くした傾斜面に形成してある。握り手５によって収容容器２を持って操作するとき、絞りローラー３１がわに傾けることでチューブ体４から絞り出した歯磨き剤等の歯ブラシ等への供給を容易にする。
【００１７】
尚、収納容器２はチューブ体４の大きさに対応して、例えば大・中・小の各タイプを用意することができる。
【００１８】
［作用］
次に、本発明のチューブ絞り出し具１の使用方法を説明する。図３は、チューブ絞り出し具１の使用時の断面説明図である。まず、チューブ体４に歯磨き剤が多く入っている場合には、絞り出し装置３を収容容器２の背面側に回転させて収容容器２の上面を開放状態にして、チューブ体４を収容するスタンドとして使用する。
【００１９】
使用により歯磨き剤が減少してチューブ体４から押し出し難くなってきた場合には、以下の手順により絞り出す。絞り出し装置３を収容容器２の背面から収容容器２の上面に横架させる。チューブ体４の後端部分を、上方から一対の絞りローラー３１，３１間に挿入する。親指で動力ローラー３２を上から下に回転させる。すると、導入された回転力が動力ローラー３２とギヤ３１１，３１２で係合している絞り出しローラー３１，３１に伝達されて回転し、チューブ体４を収容容器２内部に引き込みながら歯磨き剤を押し出す。歯磨き剤を十分に押し出せるまでチューブ体４の下端部を引き込んだら動力ローラー３２の回転を中止する。そのままの状態で使用を継続し、再度チューブ体４から歯磨き剤を押し出し難くなったら上記手順を繰り返す。このようにして、常に歯磨き剤を押し出し易い状態を維持することが可能である。
【００２０】
また、本発明のチューブ絞り出し具１は、チューブ体４に封入された歯磨き剤の練り製品を開封時から使い切るまで継続して使用することができるため、使用したい場合に直ぐに使用することができる。さらに、本発明のチューブ絞り出し具１は、少ない部品点数、かつ、簡易な構造により構成するものであるから製造コストを低く抑えることができ、安価な価格で製品を提供することができる。
【００２１】
尚、本発明のチューブ絞り出し具１は、練り製品として歯磨き剤のチューブ体４を使用する場合として説明したが、練り製品は接着剤、マヨネーズ等の調理用食材等であってもよく、この種の外部からの押圧によって内容物を絞り出すような例えばビニール樹脂製のチューブ本体４であれば、いずれのものにも使用できる。
【図面の簡単な説明】
【００２２】
【図１】本発明に係るチューブ絞り出し具の一形態を示す斜視図。
【図２】本発明に係るチューブ絞り出し具の絞り出し装置のローラー部分の説明図。
【図３】本発明に係るチューブ絞り出し具の使用状態の説明図。
【図４】本発明に係るチューブ絞り出し具の他形態を示す側面図。
【符号の説明】
【００２３】
１…チューブ絞り出し具                  ２…収容容器
３…絞り出し装置                        ３１…一対の絞りローラー
３１１…ギヤ                            ３２…動力ローラー
３２１…ギヤ                            ３３…カバー
３４…枢着部                            ４…チューブ体
５…握り手
【図１】
2008213941.tif 000003
【図２】
2008213941.tif 000004
【図３】
2008213941.tif 000005
【図４】
2008213941.tif 000006